(57)【特許請求の範囲】
【請求項１】
患者の患部に取り付けた電極を通して該患部に治療電流を通電して治療を行なう治療装置であって、
それぞれ２つの出力端子を有し、治療電流を供給するｎ個（但し、ｎは２以上の整数）の定電流供給回路と、
２ｎ個の電極と、
前記ｎ個の定電流供給回路と２ｎ個の電極とを接続するマトリクス回路と、
を備え、
前記２ｎ個の電極について、２個一対となる電極ペアの全ての組み合わせを設定して、それぞれｎ組の電極ペアからなる複数の電極グループに分け、
前記各電極グループを構成しているｎ組の電極ペアについて、それぞれ、１つの電極ペアに含まれる電極が他の電極ペアには含まれないような関係を満足するように設定されており、
前記マトリクス回路は、前記複数の電極グループの中から１つの電極グループを時間をずらして順次選択すると共に、該選択された１つの電極グループにおけるｎ組の電極ペアが前記ｎ個の電流供給回路に対して、各組の電極ペアがそれぞれ１つの該定電流供給回路に接続されかつ該各定電流供給回路がそれぞれ１組の電極ペアに接続される接続態様でもって接続されるように制御される、
ことを特徴とする治療装置。
【発明の詳細な説明】
【０００１】
【発明の属する技術分野】
本発明は、患者の患部に取り付けた電極を通してその患部に治療電流を通電して治療を行なう治療装置に関する。この種の治療装置としては、例えば低周波の脈動直流電流を流す低周波治療機、脈動微小直流電流を流す微小電流治療機などが知られている。
【０００２】
【従来の技術】
この種の治療装置で治療を行なう場合、治療を行ないたい患部に跨がって２つの電極を取り付け、その間に治療電流（脈動直流電流など）を流している。治療したい患部が多箇所におよぶ場合には、電極数二つの治療装置では電極の取付け位置を治療者が付け替えるか、治療装置に多数の電極を持たせて複数の患部それぞれに電極をペアで取り付けてそれら複数の電極ペアに対し同時に治療電流を流している。
【０００３】
【発明が解決しようとする課題】
前者の電極数が二つの治療装置では、治療したい患部が多箇所におよぶ場合には、電極の取付け位置を治療者が手作業で順次に付け替えなければならず、それに手間がかかり治療時間も長くなる。一方、多数の電極で複数箇所の患部を同時に治療する後者の治療装置では、上記問題点は解決できるが、治療したい患部が多箇所にわたると、必要な電極数もそれに応じて増加しその電極に治療電流を供給する電流供給回路も増加するので、治療装置が大型化し、コストアップともなる。
【０００４】
本発明はかかる問題点に鑑みてなされたものであり、少ない電流供給回路で多箇所の患部に対して効率よく治療を行なうことを目的とする。
【０００５】
【課題を解決するための手段】
上述の課題を解決するために、本発明はその構成として次のようにしてある。すなわち、特許請求の範囲における請求項１に記載のように、
【０００６】
患者の患部に取り付けた電極を通して該患部に治療電流を通電して治療を行なう治療装置であって、
それぞれ２つの出力端子を有し、治療電流を供給するｎ個（但し、ｎは２以上の整数）の定電流供給回路と、
２ｎ個の電極と、
前記ｎ個の定電流供給回路と２ｎ個の電極とを接続するマトリクス回路と、
を備え、
前記２ｎ個の電極について、２個一対となる電極ペアの全ての組み合わせを設定して、それぞれｎ組の電極ペアからなる複数の電極グループに分け、
前記各電極グループを構成しているｎ組の電極ペアについて、それぞれ、１つの電極ペアに含まれる電極が他の電極ペアには含まれないような関係を満足するように設定されており、
前記マトリクス回路は、前記複数の電極グループの中から１つの電極グループを時間をずらして順次選択すると共に、該選択された１つの電極グループにおけるｎ組の電極ペアが前記ｎ個の電流供給回路に対して、各組の電極ペアがそれぞれ１つの該定電流供給回路に接続されかつ該各定電流供給回路がそれぞれ１組の電極ペアに接続される接続態様でもって接続されるように制御される、
ような構成としてある。
【０００７】
上記解決手法によれば、ｎ個の電流供給回路を有効に利用してｎ組の電極ペアに対する通電を同時に行いつつ、この同時に通電されるｎ組の電極ペアを順次変更して、２個一対となる全ての電極の組み合わせについて通電を行うことができる。
【０００８】
【発明の実施の形態】
以下、図面を参照して本発明の実施例を説明する。図２には本発明の一実施例としての治療装置を微小電流治療機に適用した場合の装置ブロック構成が示される。この微小電流治療機は患部に微小な脈動直流電流（μＡオーダ）を通電することで筋肉痛や筋肉疲労などの治療を行なう装置である。図中、１０は装置全体の制御を司るＣＰＵ（中央処理装置）を含む制御部、１１は各種テーブルやプログラムを記憶するＲＯＭ、１３は演算作業のためのＲＡＭ、１３はアドレスデコーダ、１６は液晶表示器（ＬＣＤ）、１５は液晶表示器１６の表示情報を記憶するビデオＲＡＭ、１４は液晶表示器１６を表示制御するＬＣＤコントローラ、１７はＡ／Ｄ変換器、１８は制御部１からの各種コマンドを一時記憶するコマンドレジスタ、２１は操作用の各種スイッチからなるスイッチ部、１９はスイッチ部２１のスイッチ設定状態を保持するステータスレジスタ、２０は音源回路、２２は音源回路２０の出力を放音するスピーカ、２３は治療電流の変調電流パターン（波形パターン）を発生する波形発生器、２４は波形発生器２３の出力をＤ／Ａ変換するＤ／Ａ変換器である。
【０００９】
１は治療装置に導子を接続する端子部である。この端子部１は、図３に示されるように、それぞれに導子を接続する計８個の出力端子からなり、この８個の出力端子にはそれぞれ No.１〜 No.８の番号が付され、出力端子二つずつをペアとして４つのチャネルＣＨ１〜ＣＨ４に分けられる。これらの出力端子に脱着自在に接続される導子は、患部に吸着固定するための吸着ゴムを先端に有してこの吸着ゴムの吸着面側に患部に電気的に接触する電極を埋め込み、この電極と出力端子間を被覆導線で接続するよう構成される。以下、本実施例では各出力端子 No.１〜 No.８に接続される各導子をそれぞれＴ１〜Ｔ８で表すものとする。
【００１０】
Ｓ１〜Ｓ４はそれぞれ定電流アンプであり、これらの定電流アンプＳ１〜Ｓ４はそれぞれ二つの出力端子ａ−ｂ、ｃ−ｄ、ｅ−ｆ、ｇ−ｈを有し、これらの出力端子は大地（グラウンド）に対して絶縁されているフローティング構造となっている。定電流アンプＳ１〜Ｓ４はＤ／Ａ変換器２４を通して入力側に与えられた電圧波形の大きさに応じた定電流をその二つの出力端子間に導子を通して接続される患部に治療電流として供給する定電流供給回路であり、各定電流アンプＳ１〜Ｓ４の二つの出力端子間に印加される出力電圧はＡ／Ｄ変換器１７を通して制御部１０でそれぞれモニタできるようになっている。
【００１１】
２は８×８（８入力端子・８出力端子）のマトリクス回路であり、定電流アンプＳ１〜Ｓ４の各出力端子ａ−ｂ、ｃ−ｄ、ｅ−ｆ、ｇ−ｈはマトリクス回路２の８つの入力端子にそれぞれ接続され、このマトリクス回路２の８つの出力端子は端子部１の各端子 No.１〜 No.８にそれぞれ接続される。図中に×印で示した入出力線間の交差点には入力端子と出力端子間を導通するスイッチが設けられており、これらのスイッチは制御部１がコマンドレジスタ１８に設定したデータに基づいてオン／オフ制御される。
【００１２】
図４はマトリクス回路２の入出力線間に取り付けるスイッチの取付け位置を詳細に説明するものである。ここで導子番号Ｔ１〜Ｔ８はスイッチ部１の出力端子No.１〜 No.８に対応している。図中の「まる」印の位置にスイッチが取り付けられる。
【００１３】
図５には導子を通して患部に流される治療電流の波形が示される。図示のように、波高値が漸増するパルス状の脈動直流電流が極性を周期的（例えば２．５秒間隔程度）に反転して通電される。このように脈動直流電流の極性を反転するのは、一方向のみの通電だと患部に電荷が蓄積して患者に痛みを与えるので、これを防ぐためである。
【００１４】
以下、本実施例装置の動作を説明する。まず、８個の導子への治療電流の供給の仕方である出力モードについて説明する。本実施例装置ではこの出力モードとして「固定モード」、「スキャンモード」、「マルチスキャンモード」の３つのモードがある。以下、これらのモードについて順をおって説明する。
【００１５】
〔固定モード〕
図６は固定モードで使われる導子ペアの組合せを説明する図である。図示のように、チャネルＣＨ１の導子Ｔ１とＴ２、チャネルＣＨ２の導子Ｔ３とＴ４、チャネルＣＨ３の導子Ｔ５とＴ６、チャネルＣＨ４の導子Ｔ７とＴ８の各々一対の導子（以下、導子ペアと称する）を定め（したがって固定モードでは導子ペアの数は最高で４通り）、これら４つの導子ペアに対して治療電流を同時かつ独立してそれぞれ通電する。各チャネルに治療電流を通電する定電流アンプはマトリクス回路２の各スイッチをオン／オフ制御することで決定する。この実施例では、チャネルＣＨ１、ＣＨ２、ＣＨ３、ＣＨ４の各導子間に対してそれぞれ定電流アンプＳ１、Ｓ２、Ｓ３、Ｓ４で独立して治療電流を通電する。治療電流の大きさは１０μＡ〜９００μＡ程度（導子の表面積の大きさと皮膚上の感受性を考慮して設定するもので、通常１００〜４００μＡ位、後述においても同じ）にする。
【００１６】
〔スキャンモード〕
図７はスキャンモードおよびマルチスキャンモードを説明するための出力導子間テーブルを示す図である。図７中に示した括弧付きの数字は導子間の組合せ番号であり、例えば（１）は導子Ｔ１とＴ２の組合せ、また（１０）は導子Ｔ２とＴ５の組合せを表す。
【００１７】
図１はスキャンモードで使われる導子の組合せ態様を説明する図である。図１に示すように、スキャンモードでは８個の導子のうちの一つを基準導子として定め、この基準導子と残りの７個の導子の各々との間にそれぞれ導子ペアを設定し、この導子ペアに対して順次に時間をずらして治療電流の通電を行なう。基準電極の取付け位置は、例えば大胸筋の治療を行なう場合には筋束が交差しながら収束する部にしたり、アキレス腱の治療を行なう場合にはアキレス腱の付け根にしたりする。
【００１８】
このキャンモードでは、定電流アンプは一つだけを使用しており、この実施例では定電流アンプＳ１で通電を行なう。すなわち、定電流アンプＳ１の出力端子ａ側のスイッチを常時オンにし、出力端子ｂ側に接続されている７個のスイッチのうちの一つを順繰りにオンすることで、上記７つの導子ペアに対して順繰りに治療電流の通電を行なう。このスキャンモードでは治療電流の大きさは１０μＡ〜９００μＡ程度にし、ペアの切替えの周期は１５sec 程度にする。
【００１９】
〔マルチスキャンモード〕
図８はマルチスキャンモードで使われる導子の組合せ態様を説明する図である。このマルチスキャンモードではチャネルの概念はなく、通電可能な導子間に通電を行なう。導子ペアとすることが可能な導子の組合せは図７に示す２８通りであるが、導子の数が８個の場合、ペアをなす二つの導子が他のペアと重複することなく同時に組むことができる導子ペアの数は４つであるので、２８通りの導子ペアを４つずつ７のグループに分け、一つのグループの４つの導子ペアに対してそれぞれ４台の定電流アンプＳ１〜Ｓ４で独立して治療電流の通電を行ない、これを７つのグループについて順次に時間をずらして行なう。このマルチスキャンモードでは治療電流の大きさは１０μＡ〜９００μＡ程度にし、導子ペアのグループの切替え周期は１５sec 程度にする。
【００２０】
図９は上記同時に組むことができる４つの導子ペアのグループに対して通電を行なう順序を決めるテーブルである。図中の丸付き数字で示したものが通電順序である。図１０は図７の組合せ番号と通電順序の関係を詳細に示したものである。これらの図から分かるように、最初の順番「まる１」では、導子Ｔ１とＴ２、Ｔ３とＴ４、Ｔ５とＴ６、Ｔ７とＴ８間にそれぞれ定電流アンプＳ１、Ｓ２、Ｓ３、Ｓ４で通電を行なう。次の順番「まる２」では、導子Ｔ１とＴ３、Ｔ２とＴ４、Ｔ５とＴ７、Ｔ６とＴ８間にそれぞれ定電流アンプＳ１、Ｓ２、Ｓ４、Ｓ３で通電を行なう。以下、同様にして各順番「まる３」〜「まる７」においてそのグループの４つの導子ペアに対して同時に通電を行なう。図１１〜図１７にはこのマルチスキャンモードの各順番「まる１」〜「まる７」においてオンされるマトリクス回路２のスイッチの位置がまる印にて示される。
【００２１】
以上のマルチスキャンモードの説明は導子の装着数が８個とした場合のものであるが、導子数がこれ以下の場合にもマルチスキャンを行なうことが可能である。例えば図１８は導子の装着数が６個の場合の、同時に組むことができる導子ペアのグループに対して通電を行なう順序を決めるテーブルである。図中の丸付き数字で示したものが通電順序である。この場合、使用する定電流アンプは各順番「まる１」〜「まる５」においては一度に３台となる。同様に、図１９は導子の装着数が４個の場合の、同時に組むことができる導子ペアのグループに対して通電を行なう順序を決めるテーブルであり、この場合に使用する定電流アンプは各順番「まる１」〜「まる３」においては一度に２台となる。
【００２２】
次に導子の実装／未実装の検出法について説明する。本実施例では導子が実装されているか、未実装または実装されてはいるが装着不良（電極の電気的接触不良）かの判定を行なえるようにしている。この判定は、導子間の導電度（＝導電率）σを測定し、その測定結果に基づいて行なう。この測定法について以下に説明する。
【００２３】
まず、図９に示したテーブルを導子検索順番表として用いる。つまり４つの導子ペア間の導電度を一度に測定し、この測定を７回に分けて行ない、計２８の導子ペアの導電度を自動検索により測定する。これにより４個の定電流アンプＳ１〜Ｓ４を同時に使用して効率良く各導子間の導電度を測定することができる。測定の各順番「まる１」〜「まる７」におけるマトリクス回路２のスイッチのオン／オフは前述の図１１〜図１７に示した通りである。
【００２４】
自動検索に使用する検索電流は直流を用い、電流の大きさ（振幅値）が１０μＡとする。電流の大きさを１０μＡと小さくしているのは、患者に刺激を与えずに自動検索を行なえるようにするためである。各定電流アンプＳ１〜Ｓ４に対して制御部１０から１０μＡの電流を流すように指示し、その通電時における各定電流アンプＳ１〜Ｓ４の出力電圧値をＡ／Ｄ変換器１７を通してそれぞれ検出する。定電流アンプＳ１〜Ｓ４に接続されている各導子ペアの導電度σは、導電度＝各定電流アンプＳ１〜Ｓ４の出力電圧値／電流値（＝１０μＡ）
[単位：SIEMENS]で求まる。この測定結果に基づいて、導電度が１０-6 [SIEMENS]以下の場合には、その導子ペアの双方または片方の導子は未実装か装着不良と判断する。導子検索順番表に従って全ての導子ペアについての測定結果を出せば、どの導子が未実装または装着不良かを特定することができる。
【００２５】
この導子検索結果は例えば図２０に示すような形態で液晶表示器１６に表示する。この表示例では、導電度をその高低により５段階に色分けして表示する。すなわち、導電度の高い方から順に０〜１０-2、１０-2〜１０-3、１０-3〜１０-4、１０-4〜１０-5、１０-5〜１０-6の５段階に分ける。８つの導子Ｔ１〜Ｔ８のうちの一つの基準導子とする。基準導子の選定法は若い番号の導子を基準導子とするなどの方法が可能である。ここではチャネルＣＨ１の導子Ｔ１を基準導子とする。この基準導子Ｔ１からみた各導子間との導電度の大きさに対応させて各導子の色表示を変える。すなわち、各導子に対して「四角」枠を設け、「四角」枠の中心に「黒丸」印を付けて導子を表し、この「黒丸」印の外側にさらに円を設け、この外円と「四角」枠で挟まれる領域に導電度に応じた着色をする。導子が未実装あるいは実装不良（導電度が１０-5以下）の場合には外円を設けない。言い換えれば１０-5〜１０-6段階の色と外円の内側の色とが同じなるので外円が見えなくなる。図２０の例ではチャネルＣＨ１の導子Ｔ２とチャネルＣＨ２の導子Ｔ３が未実装または実装不良であることを示している。
【００２６】
このような導子検索結果の表示を見ることで、ユーザはどの導子が未実装であるか、あるいは実装不良であるかを即座に判断することができ、未実装／実装不良である場合には導子の装着をし直すなどの対策を即座にとることができるので、治療に必要な導子の未実装あるいは装着不良のまま治療を開始してしまうことを防止できる。
【００２７】
また、電極を接続する出力端子全て（本実施例では８個）に電極を接続しないで治療装置を使用する場合にも、上述の方法によって未実装であることが判明した出力端子に関しては、前述の各出力モードでその出力端子を通していの治療電流の供給を行なわないように、言い換えれば実装されている導子だけで導子ペアを作って治療電流を通電するように、制御部１０で制御することができる。
【００２８】
次に、本実施例装置を使用して患部の治療を行なう治療モードについて説明する。この治療モードでは、前記３種類の出力モード（固定、スキャン、マルチスキャン）における治療電流の最適な周波数（パルス脈流の周波数）と振幅値の決定を自動的に行なうとともに、「マルチスキャンモード」においては治療を必要とする患部を自動的に検索してその部位に対して集中的に治療を行なうようにする。以下、各出力モードにおける治療モードについて説明する。
【００２９】
〔固定モード〕
（ａ）使用導子数固定モードでの治療に使用する導子ペアは図６に示すように４通りであり、治療電流は４つの導子ペアに同時に通電する。
【００３０】
（ｂ）周波数帯探査治療治療電流の電流値は１００μＡで、周波数として１Ｈz 、３０Ｈz 、２００Ｈz を用い、この順に各周波数の治療電流を各々５秒間ずつ各導子間ペアへ出力する。定電流アンプＳ１〜Ｓ４の出力電圧をモニタするホールド回路を設け、それぞれの周波数の治療電流出力開始時から１．５秒後にホールド回路をリセットして２秒後に定電流アンプの出力電圧を測定してホールドし、さらに４．５秒後に再リセットして５秒後に再測定してホールドする。各々の測定値から各時点での導電度σを計算し、さらに各時点の導電度からその変化率Δσを計算する。この計算は使用する導子ペアの全てについて行なう。下記に示す周波数による導電度変化率の大小順によって、次のシーケンス周波数部位走査治療で使用する周波数帯と電流値が決定される。
【００３１】
〔周波数による導電度の変化率の大小順〕
導電度変化率 周波数帯（設定電流値）
（小） （中） （大）
１、 ３０、 ２００ Ｈz Ｐ３ （１００μＡ） １、 ２００、３０ Ｈz Ｐ２ （２００μＡ）
３０、 ２００、１ Ｈz Ｐ２ （２００μＡ）
３０、 １、 ２００ Ｈz Ｐ２ （２００μＡ）
２００、１、 ３０ Ｈz Ｐ２ （２００μＡ）
２００、３０、 １ Ｈz Ｐ１ （４００μＡ）
【００３２】
ここで周波数帯はＰ１、Ｐ２、Ｐ３の３種類があり、各周波数帯Ｐ１、Ｐ２、Ｐ３は以下に示すようにそれぞれ８つの周波数からなる。
Ｐ１（急性用）の治療周波数帯１００、１２０、１４０、１６０、２００、２４０、２８０、３２０ＨzＰ２（一般痛）の治療周波数帯１０、１５、２０、３０、５０、７０、１００、１２０ＨzＰ３（筋肉疲労用）の治療周波数帯０．３、 ０．５、 ０．７、 １、３、 ５、 ７、 １０Ｈz
【００３３】
（ｃ）周波数部位走査治療周波数帯探査治療で決定した周波数帯について、その周波数帯の８種類の周波数の低い方の周波数から各５秒ずつ治療電流を通電する。治療電流の電流値はそれぞれＰ１のとき４００μＡ、Ｐ２のとき２００μＡ、Ｐ３のとき１００μＡを流す。同時に各周波数の治療電流を印加してから、周波数探査治療で求めた方法と同様の方法で各々の周波数（８種類）での導電度の変化率を測定する。そして使用周波数８種類のうちで導電度変化率の大きい方から３種類の周波数を選ぶ。これを各導子ペアについて行なう。
【００３４】
（ｄ）集中治療周波数部位走査治療で選ばれた３種類の周波数を、前項で指定された電流値で、低い方の周波数から順番に各々１５秒間ずつ流し、これを２回繰り返す。この操作を各導子ペアについて行なう。
【００３５】
（ｅ）集中アフタートリートメント０．５Ｈz の周波数および波形で電流値１００μＡで１５秒間通電し、波形を（−）側の極性に切り替えてさらに１５秒間通電する。
【００３６】
（ｆ）全体アフタートリートメント使用している全ての導子間の組合せ（マルチスキャンモードの２８通りの導子ペア）で集中アフタートリートメントで使用したモードの条件で各々の導子間で各５秒間ずつ通電する。極性を切り替えた波形でも各５秒間ずつ通電する。
【００３７】
〔スキャンモード〕
（ａ）使用導子数スキャンモードでの治療に使用する導子ペアは図１に示すように７通りであり、治療電流は７つの導子ペアに対し時間的にずらして順次に通電する。
【００３８】
以降の（ｂ）周波数帯探査治療、（ｃ）周波数部位走査治療、（ｄ）集中治療、（ｅ）集中アフタートリートメント、（ｆ）全体アフタートリートメントは固定モードのときと同じに行なう。但し、スキャンモードでは（ｄ）の集中治療は周波数部位走査治療で選んだ３種類の周波数による通電を１回のループで終了させる。
【００３９】
〔マルチスキャンモード〕
（ａ）使用導子数マルチスキャンモードでの治療に使用する導子ペアは図８R>８に示すように２８通りであり、治療電流は４つ１組の導子ペアに対し各組毎に時間的にずらして順次に通電する。
【００４０】
（ｂ）周波数帯探査治療固定モードと同じアルゴリズムで行なう。但し、導子ペアは２８通りあり、これらの導子ペアに対してそれぞれ３種類の周波数（１、３０、２００Ｈz ）を用いて治療電流を通電する。
【００４１】
（ｃ）周波数部位走査治療周波数探査治療で決定した周波数帯について、その周波数帯の８種類の周波数の低い方の周波数から各々５秒ずつ所定の波形および電流値で流す。通電対象となる導子ペアは２８通りである。同時に、固定モードの周波数部位走査治療で説明したと同様に、導電度の変化率Δσを求め、導電度の変化率Δσの大きい方から３種類の周波数を選ぶ。
【００４２】
この測定結果に基づいて、図２１に示すように、選んだ導電度変化率Δσの大きい３種類の周波数ｆ1 、ｆ2 、ｆ3 それぞれについて、導電度変化率Δσの高い導子ペア（変化率Δσ1 、Δσ2 ・・・などの導子ペア）を高い方から順番に並べ、各周波数において導電度変化率の高い方から４つずつを１群として２組を選ぶ。よって３種類の周波数では計６組の導子ペア群が選ばれる。但し、同一周波数の１組の中には同じ導子が２つ以上含まれてはならず、含まれる場合にはその導子ペアは無視する。このようにして選択した６組の導子ペア群（計２４対）は次の集中治療で使用する。
【００４３】
（ｄ）集中治療上記の周波数部位走査治療で求めた６組の導子ペア群のなかで、最も低い周波数ｆ1 のうちの導電度変化率の高い方の４つの導子ペア（変化率Δσ1 〜Δσ4の導子ペア群）に対して、周波数ｆ1 の治療電流を１５秒間にわたり同時に流す。電流値は周波数帯探査治療で求めたモード（Ｐ１〜Ｐ３）で決まる値とする。
【００４４】
次に、２番目に低い周波数ｆ2 について上記と同様の操作を行なう。この場合の治療電流の周波数はｆ2 となる。これが終了したら、次には３番目に低い周波数ｆ3 について上記と同様の操作を行なう。この場合の治療電流の周波数はｆ3となる。その終了後、最低の周波数ｆ1 に戻って導電度変化率の次に高い４つの導子ペア（変化率Δσ5 〜Δσ8 の導子ペア群）に対して上記と同様の操作を行ない、これを周波数ｆ2 、ｆ3 についても行なう。この操作のループを２回繰り返す。
【００４５】
（ｅ）周波数部アフタートリートメント０．５Ｈz の周波数で電流値１００μＡの電流を１５秒ずつ集中治療で行なった順で流す（４対×６組）。その後、電流波形の極性を（−）側に切り替えて同様に電流を流す。
【００４６】
（ｆ）全体アフタートリートメント固定モードと同じ方法で電流を流す（最高２８対×２回）
【００４７】
【発明の効果】
以上に説明したように、本発明によれば、少ない電流供給回路で多箇所の患部に対して効率よく治療を行なうことができる。
【図面の簡単な説明】
【図１】実施例装置のスキャンモードを説明するための図である。
【図２】本発明の一実施例としての治療装置の装置ブロック構成を示す図である。
【図３】実施例装置の端子部の詳細構成を説明するための図である。
【図４】実施例装置のマトリクス回路のスイッチ配置を説明する図である。
【図５】実施例装置で使用する治療電流の波形の一例を示す図である。
【図６】実施例装置の固定モードを説明するための図である。
【図７】実施例装置の出力導子間テーブルを示す図である。
【図８】実施例装置のマルチスキャンモードを説明するための図である。
【図９】実施例装置のマルチスキャンモードで使用する通電順番テーブルを示す図である。
【図１０】実施例装置の導子ペアと通電順番との関係を詳細に示す図である。
【図１１】実施例装置において通電順番「まる１」でのマトリクス回路のオンのスイッチを示す図である。
【図１２】実施例装置において通電順番「まる２」でのマトリクス回路のオンのスイッチを示す図である。
【図１３】実施例装置において通電順番「まる３」でのマトリクス回路のオンのスイッチを示す図である。
【図１４】実施例装置において通電順番「まる４」でのマトリクス回路のオンのスイッチを示す図である。
【図１５】実施例装置において通電順番「まる５」でのマトリクス回路のオンのスイッチを示す図である。
【図１６】実施例装置において通電順番「まる６」でのマトリクス回路のオンのスイッチを示す図である。
【図１７】実施例装置において通電順番「まる７」でのマトリクス回路のオンのスイッチを示す図である。
【図１８】実施例装置において導子数を６または５とした時の通電順番テーブルを示す図である。
【図１９】実施例装置において導子数を４または３とした時の通電順番テーブルを示す図である。
【図２０】実施例装置において導子の実装／未実装を表示するための画面の表示例を示す図である。
【図２１】実施例装置におけるマルチスキャンモードで集中治療を行なうための導電度変化率テーブルを示す図である。
【符号の説明】
Ｓ１〜Ｓ４ 定電流アンプ
１ 端子部
２ マトリクス回路
１０ 制御部（ＣＰＵ）
１１ ＲＯＭ（リードオンリーメモリ）
１２ ＲＡＭ（ランダムアクセスメモリ）
１３ アドレスデコーダ
１４ ＬＣＤコントローラ
１５ ビデオＲＡＭ
１６ 液晶表示器（ＬＣＤ）
１７ Ａ／Ｄ変換器
１８ コマンドレジスタ
１９ ステータスレジスタ
２０ 音源回路
２１ スイッチ部
２２ スピーカ
２３ 波形発生器
２４ Ｄ／Ａ変換器
【図１】
0003874824.tif 000002
【図２】
0003874824.tif 000003
【図３】
0003874824.tif 000004
【図４】
0003874824.tif 000005
【図５】
0003874824.tif 000006
【図６】
0003874824.tif 000007
【図７】
0003874824.tif 000008
【図８】
0003874824.tif 000009
【図９】
0003874824.tif 000010
【図１０】
0003874824.tif 000011
【図１１】
0003874824.tif 000012
【図１２】
0003874824.tif 000013
【図１３】
0003874824.tif 000014
【図１４】
0003874824.tif 000015
【図１５】
0003874824.tif 000016
【図１６】
0003874824.tif 000017
【図１７】
0003874824.tif 000018
【図１８】
0003874824.tif 000019
【図１９】
0003874824.tif 000020
【図２０】
0003874824.tif 000021
【図２１】
0003874824.tif 000022